(57)【要約】【課題】元画像に付加画像を合成して作成された合成画像に対する目視確認作業の負担を軽減できる画像形成装置を提供する。【解決手段】合成手段２１は、元画像の画像データに付加画像を合成した合成画像データを作成し、ログ管理手段２２は合成時の合成状態をログ情報４０として記憶させる。プリンタ部１８は合成画像データに基づく合成画像を印刷し、スキャナ部１６は印刷された合成画像を光学的に読み取る。判定手段２３は、記憶してあるログ情報４０と、合成画像を読み取って得た画像データとから、合成画像における付加画像の付加状態（重なりの有無など）を判定し、通知制御手段２４は判定結果を表示または印刷によりユーザに通知する。【選択図】図１
2007215117.tif 000002
【特許請求の範囲】
【請求項１】
画像データに付加画像データを合成して合成画像データを作成する合成手段と、
前記合成手段で前記合成画像データを作成したときの合成条件を示すログ情報を記憶する記憶手段と、
前記合成画像データに基づく合成画像を印刷する印字手段と、
前記印字手段で印字された前記合成画像を読み取り、合成画像データを得る読取手段と、
前記記憶手段に記憶してある前記ログ情報と、前記読取手段で前記合成画像を読み取って得た前記合成画像データに基づいて、前記合成画像における前記付加画像データが示す付加画像の状態を判定する判定手段と、
前記判定手段の判定結果を通知する通知手段と
を有する
ことを特徴とする画像形成装置。
【請求項２】
画像および該画像に対して付加される付加画像を有する合成画像を読み取り、合成画像データを得る読取手段と、
前記合成画像を作成したときの合成条件を示すログ情報と前記合成画像データに基づいて、前記合成画像における前記付加画像の状態を判定する判定手段と、
前記判定手段の判定結果を通知する通知手段と
を有する
ことを特徴とする画像形成装置。
【請求項３】
画像データ、該画像データに対して付加される付加画像データ、および前記画像データに対して前記付加画像データを付加して合成画像データを作成した時の合成条件を示すログ情報を入手する情報入手手段と、
前記画像データ、前記付加画像データ、および前記ログ情報に基づいて、前記合成画像データが示す合成画像における前記付加画像データが示す付加画像の状態を判定する判定手段と、
前記判定手段の判定結果を通知する通知手段と
を有する
ことを特徴とする画像形成装置。
【請求項４】
通知条件を設定する通知条件設定手段を有し、
前記通知手段は、前記判定手段の判定結果が前記通知設定手段で設定された通知条件に合致するページについてのみ判定結果を通知する
ことを特徴とする請求項１乃至３のいずれか１つに記載の画像形成装置。
【請求項５】
前記判定手段は、前記付加画像と前記画像との重なり状態を判定する
ことを特徴とする請求項１乃至４のいずれか１つに記載の画像形成装置。
【請求項６】
前記通知手段は、前記付加画像と前記画像とが重なっているページと重なりの疑いのあるページの判定結果を通知し、前記付加画像と前記画像との重なりのないページの判定結果は通知しない
ことを特徴とする請求項５に記載の画像形成装置。
【請求項７】
前記記憶手段に記憶する前記ログ情報は、前記付加画像の合成位置情報を含む
ことを特徴とする請求項１乃至６のいずれか１つに記載の画像形成装置。
【請求項８】
前記判定手段は、前記合成画像データの中で判定の対象とする領域を、前記合成位置情報に基づいて特定する
ことを特徴とする請求項７に記載の画像形成装置。
【請求項９】
前記記憶手段に記憶する前記ログ情報は、前記付加画像の内容を含む
ことを特徴とする請求項１乃至８のいずれか１つに記載の画像形成装置。
【請求項１０】
前記記憶手段は、前記付加画像の内容を文字コードで記憶し、
前記判定手段は、前記記憶手段に記憶されている前記文字コードが示す付加画像の内容と、前記合成画像データに基づいて、前記合成画像における前記画像と前記付加画像の位置関係を判定する
ことを特徴とする請求項１乃至９のいずれか１つに記載の画像形成装置。
【請求項１１】
前記記憶手段は、前記ログ情報として前記付加画像の内容をビットマップデータで記憶し、
前記判定手段は、前記ログ情報として記憶されている前記ビットマップデータが示す付加画像の内容と、前記合成画像データに基づいて、前記合成画像における前記画像と前記付加画像の位置関係を判定する
ことを特徴とする請求項１乃至９のいずれか１つに記載の画像形成装置。
【発明の詳細な説明】
【技術分野】
【０００１】
本発明は、元の画像に付加画像を合成して出力する画像形成装置に関する。
【背景技術】
【０００２】
原稿をコピーしたり、パーソナルコンピュータから印刷したりする場合に、会社のロゴや「丸秘」・「コピー禁止」などの付加画像を付加して印刷する印刷装置がある。付加画像を付加する位置は、通常、ユーザにより指定されるが、指定位置の余白幅を検出し、その余白幅に合わせて付加画像を変倍・シフトして合成する技術も知られている（たとえば、特許文献１参照。）。
【０００３】
【特許文献１】特開平７−１１１５８３号公報
【発明の開示】
【発明が解決しようとする課題】
【０００４】
上記技術のように自動的に付加画像を合成するものにおいて、付加画像を合成した資料が重要書類の場合には、合成の状態、特に、付加画像が元画像と重なっていないことを目視で再確認する必要が生じる。
【０００５】
たとえば、米国の法律事務所では、裁判資料などの法的資料を、裁判所提出用、法律事務所保管用、クライアント用の３部作成し、これら３部の法的資料を作成した証明として、法律事務所のロゴ、日付、ページ番号などからなるスタンプ（ベイツスタンプBates Stampと呼ばれる。）を元の画像と重ならないように各ページの空白部に押す作業が人手で行なわれる。この作業負担を軽減するためにスタンプを装置で自動的に合成する場合には、法的資料としての重要性から、合成後の出力画像を目視確認しなければならないが、裁判資料などは多数枚に及ぶので、その目視確認作業が非常に煩わしくなってしまう。
【０００６】
本発明は、上記の問題を解決しようとするものであり、元画像に付加画像を合成して作成された合成画像に関する目視確認の作業負担を軽減することのできる画像形成装置を提供することを目的としている。
【課題を解決するための手段】
【０００７】
上記の目的は、以下に示す各項の発明により達成される。
【０００８】
（１）画像データに付加画像データを合成して合成画像データを作成する合成手段と、
前記合成手段で前記合成画像データを作成したときの合成条件を示すログ情報を記憶する記憶手段と、
前記合成画像データに基づく合成画像を印刷する印字手段と、
前記印字手段で印字された前記合成画像を読み取り、合成画像データを得る読取手段と、
前記記憶手段に記憶してある前記ログ情報と、前記読取手段で前記合成画像を読み取って得た前記合成画像データに基づいて、前記合成画像における前記付加画像データが示す付加画像の状態を判定する判定手段と、
前記判定手段の判定結果を通知する通知手段と
を有する
ことを特徴とする画像形成装置。
【０００９】
上記発明では、合成時の合成状態、たとえば、画像データに付加画像を合成した合成位置、付加画像の内容、画像や文字のサイズ、書体、書式などをログ情報として記憶しておき、実際に合成画像を読み取って得た画像データを、合成時に記憶したログ情報に基づいて調べることで、合成画像における付加画像の状態を判定する。
【００１０】
（２）画像および該画像に対して付加される付加画像を有する合成画像を読み取り、合成画像データを得る読取手段と、
前記合成画像を作成したときの合成条件を示すログ情報と前記合成画像データに基づいて、前記合成画像における前記付加画像の状態を判定する判定手段と、
前記判定手段の判定結果を通知する通知手段と
を有する
ことを特徴とする画像形成装置。
【００１１】
（３）画像データ、該画像データに対して付加される付加画像データ、および前記画像データに対して前記付加画像データを付加して合成画像データを作成した時の合成条件を示すログ情報を入手する情報入手手段と、
前記画像データ、前記付加画像データ、および前記ログ情報に基づいて、前記合成画像データが示す合成画像における前記付加画像データが示す付加画像の状態を判定する判定手段と、
前記判定手段の判定結果を通知する通知手段と
を有する
ことを特徴とする画像形成装置。
【００１２】
（４）通知条件を設定する通知条件設定手段を有し、
前記通知手段は、前記判定手段の判定結果が前記通知設定手段で設定された通知条件に合致するページについてのみ判定結果を通知する
ことを特徴とする（１）乃至（３）のいずれか１つに記載の画像形成装置。
【００１３】
上記発明によれば、設定した通知条件に判定結果が合致するページについてのみその判定結果が通知される。通知条件として、たとえば、全ページ、不良ページ、不良ページおよび不良の疑いのあるページ、不良のないページ、などの設定が考えられる。
【００１４】
（５）前記判定手段は、前記付加画像と前記画像との重なり状態を判定する
ことを特徴とする（１）乃至（４）のいずれか１つに記載の画像形成装置。
【００１５】
上記発明では、付加画像と元画像との重なりの有無、重なりの程度などが判定される。重なりには、接触を含めてもよい。
【００１６】
（６）前記通知手段は、前記付加画像と前記画像とが重なっているページと重なりの疑いのあるページの判定結果を通知し、前記付加画像と前記画像との重なりのないページの判定結果は通知しない
ことを特徴とする（５）に記載の画像形成装置。
【００１７】
上記発明によれば、目視確認すべきページについてのみ判定結果が通知されるので、目視確認の作業効率が向上する。
【００１８】
（７）前記記憶手段に記憶する前記ログ情報は、前記付加画像の合成位置情報を含む
ことを特徴とする（１）乃至（６）のいずれか１つに記載の画像形成装置。
【００１９】
（８）前記判定手段は、前記合成画像データの中で判定の対象とする領域を、前記合成位置情報に基づいて特定する
ことを特徴とする（７）に記載の画像形成装置。
【００２０】
上記発明では、読み取った画像データのうち、合成時に記憶した合成位置情報が示す領域について付加画像の状態を判定するので、判定の処理量が低減し、高速化される。
【００２１】
（９）前記記憶手段に記憶する前記ログ情報は、前記付加画像の内容を含む
ことを特徴とする（１）乃至（８）のいずれか１つに記載の画像形成装置。
【００２２】
（１０）前記記憶手段は、前記付加画像の内容を文字コードで記憶し、
前記判定手段は、前記記憶手段に記憶されている前記文字コードが示す付加画像の内容と、前記合成画像データに基づいて、前記合成画像における前記画像と前記付加画像の位置関係を判定する
ことを特徴とする（１）乃至（９）のいずれか１つに記載の画像形成装置。
【００２３】
上記発明では、合成時に付加画像の内容を文字コードで記憶しておき、合成画像を読み取って得た画像データの中で、該文字コードの示す文字列を識別し、それらの文字列がどのような状態で合成されているかを判定する。たとえば、付加画像の文字と元画像の文字とが重なっている箇所の文字が本来の文字と異なる文字として正常に認識された場合でも、その文字が合成時に記憶した文字コードにない文字であれば、重なりなどの異常を判定することができる。
【００２４】
（１１）前記記憶手段は、前記ログ情報として前記付加画像の内容をビットマップデータで記憶し、
前記判定手段は、前記ログ情報として記憶されている前記ビットマップデータが示す付加画像の内容と、前記合成画像データに基づいて、前記合成画像における前記画像と前記付加画像の位置関係を判定する
ことを特徴とする（１）乃至（９）のいずれか１つに記載の画像形成装置。
【００２５】
上記発明では、記憶手段に記憶されているビットマップデータと、合成画像を読み取って得た画像データとのパターンマッチングなどにより、合成画像における付加画像の状態を判定する。
【発明の効果】
【００２６】
本発明に係わる画像形成装置によれば、元画像に付加画像を合成した時の合成状態を示すログ情報を記憶しておき、該ログ情報と、合成画像を読み取って得た画像データとから、合成画像における付加画像の状態を判定し、その判定結果を通知するので、元画像と付加画像との重なりのあるページや重なりの疑いのあるページを該判定結果に基づいてピックアップでき、目視確認すべきページ数が減って、目視確認の作業負担を軽減することができる。
【発明を実施するための最良の形態】
【００２７】
以下、図面に基づき本発明の実施の形態を説明する。
【００２８】
図１は、本発明の実施の形態に係わる画像形成装置１０の概略構成を示している。画像形成装置１０は、原稿画像を読み取ってその複製を記録紙上に作成するコピー機能のほか、外部端末から受信した印刷データに基づいて印刷するプリンタ機能や、原稿画像を読み取って対応する画像データを保存したり外部へ出力したりするスキャナ機能、通信回線を通じて画像データを送受信するファクシミリ機能などを備えた複合機として構成されている。
【００２９】
また、画像形成装置１０は、指定された付加画像を元画像に合成して印刷出力する機能および、印刷出力した合成画像を光学的に読み取って、付加画像と元画像との重なり状態などを判定し、その判定結果をユーザに通知する機能を備えている。
【００３０】
かかる機能を果たす画像形成装置１０は、ＣＰＵ（Central Processing Unit）を主要部とするシステム制御部２０を有し、該システム制御部２０にＲＯＭ（Read Only Memory）１１と、ＲＡＭ（Random Access Memory）１２と、不揮発記憶装置１３と、通信Ｉ／Ｆ（Interface）１４と、操作表示部１５と、スキャナ部１６と、画像処理部１７と、プリンタ部１８とを接続して構成される。
【００３１】
ＲＯＭ１１は、各種のプログラムおよび固定データを記憶し、システム制御部２０はＲＯＭ１１に記憶されているプログラムを実行することで、当該画像形成装置１０の動作を統括制御する。ＲＡＭ１２は、システム制御部２０がプログラムを実行する際のワークメモリとして使用される読み書き自在なメモリである。また、ＲＡＭ１２は、付加画像を元画像に合成したときの合成状態を示すログ情報４０の記憶に使用される。
【００３２】
不揮発記憶装置１３は、不揮発の半導体メモリやハードディスク装置などで構成され、各種の登録データを記憶したり、画像データを大量保存したりするために使用される。ユーザの設定した付加画像の内容は不揮発記憶装置１３に記憶される。
【００３３】
スキャナ部１６は、原稿画像を光学的に読み取って対応する画像データを出力する読み取り装置である。スキャナ部１６は、ラインイメージセンサなどで構成される。スキャナ部１６は、図示省略の自動原稿搬送装置を備えており、原稿トレーに載置された複数ページの原稿を１枚ずつ自動的に送り出して順に読み取るようになっている。スキャナ部１６は、付加画像が合成される前の元画像の入力装置として機能するほか、付加画像の合成された合成画像を光学的に読み取る読取手段としての機能を果たす。
【００３４】
画像処理部１７は、画像データに拡大、縮小、回転、圧縮・伸張などの各種の処理を施す機能を果たす。また、必要に応じて付加画像の縮小処理を行なう。
【００３５】
プリンタ部１８は、記録紙上に画像を形成する印刷手段としての機能を果たす。ここでは、記録紙の搬送装置と、感光体ドラムと、帯電装置と、レーザーユニットと、現像装置と、転写分離装置と、クリーニング装置と、定着装置とを有する、電子写真プロセスを用いたレーザープリンタとして構成されている。
【００３６】
通信Ｉ／Ｆ１４は、ネットワークを通じてパーソナルコンピュータなどの外部端末と通信する機能を果たす。たとえば、外部端末から印刷指示や印刷データを受信する。付加画像が合成される元画像の画像データは通信Ｉ／Ｆ１４から入力される場合もある。
【００３７】
操作表示部１５は、液晶ディスプレイなどの表示部と、操作部とを有する。操作部は操作スイッチや液晶ディスプレイの画面上に敷設されたタッチパネルなどで構成される。操作表示部１５には、各種の操作画面や設定画面、画像形成装置１０の動作状態を示す画面のほか、付加画像の状態を判定した結果を示す通知画面などが表示される。操作表示部１５は、付加画像の内容に関する設定登録を受ける機能や、判定結果を通知する際の通知条件を設定する通知条件設定手段としての機能を果たす。これらの設定は通信Ｉ／Ｆ１４を通じて外部端末から受けることも可能になっている。
【００３８】
システム制御部２０は、付加画像の合成・判定に関し、合成手段２１、ログ管理手段２２、判定手段２３、通知制御手段２４などの機能を果たす。
【００３９】
合成手段２１は、元画像の画像データに付加画像の画像データを合成して合成画像データを作成する処理を行なう。ログ管理手段２２は、合成手段２１で合成画像データを作成したときの合成状態を示すログ情報をＲＡＭ１２に記憶させる制御を行なう。
【００４０】
判定手段２３は、合成画像をスキャナ部１６で読み取って得た画像データを、合成時のログ情報に基づいて解析することで、合成画像における付加画像の状態を判定する機能を果たす。通知制御手段２４は、判定結果の通知に関する制御を行なう。
【００４１】
以下、付加画像としてベイツスタンプ（BATES STAMP）を合成する場合を例に説明する。
【００４２】
図２（ａ）は、元画像３０と、該元画像３０にベイツスタンプ３１（以後、単にスタンプとも呼ぶ。）を合成付加した合成画像３２とを示している。米国の法律事務所では、図２（ｂ）に示すように、裁判資料などの法的資料を、裁判所提出用、法律事務所保管用、クライアント用の３部作成する。画像形成装置１０は、法律事務所のロゴ、日付、ページ番号などからなるベイツスタンプを画像処理によって元原稿に合成して１部目Ｄ１を印刷し、該１部目Ｄ１をスキャナ部１６で読み取り複写して２部目Ｄ２、３部目Ｄ３を作成する。そして、２部目Ｄ２や３部目Ｄ３の作成工程において１部目Ｄ１をスキャナ部１６で読み取って得た画像データに基づき、ベイツスタンプの付加状態の適否をページ毎に判定するようになっている。
【００４３】
まず、１部目を作成する際に行なわれるスタンプ処理について説明する。スタンプ処理には、スタンプの合成位置を画像形成装置１０が自動判別する自動合成モードと、スタンプの合成位置をユーザが指定する位置指定合成モードとがある。
【００４４】
なお、合成するベイツスタンプの内容（画像そのもの）は図示省略のスタンプ登録画面で予め設定登録される。詳細には、スタンプＩＤ（Identification）毎に、法律事務所名などを示すタイトル文字列に関する設定（タイトル印字の有無、タイトル文字列の内容を示す文字コード）、日付時刻に関する設定内容（日付時刻印字の有無、書式など）、ページ番号に関する設定（番号の前に付する文字列印字の有無および文字列の内容を示す文字コード、ページ番号の印刷有無と桁数・初期値など）およびベイツスタンプ全体の書式（行数や段組など）や文字サイズ、文字種に関する設定などがベイツスタンプの内容として登録される。
【００４５】
図３は、自動合成モードにおけるスタンプ処理の流れを示している。合成するスタンプの種類を予め登録してあるものの中からスタンプＩＤにより選択する（ステップＳ１０１）。次に、ＯＣＲ（Optical Character Reader）処理を利用して、当該ページ内での余白部を検出し(ステップＳ１０２)、スタンプの合成位置やサイズ（縮小率）を決定し、この決定に従って、当該ページの元画像の画像データにスタンプの画像データを合成した合成画像データを作成する（ステップＳ１０３）。また、合成時の合成状態を示すログ情報を記憶する（ステップＳ１０４）。プリンタ部１８は、作成された合成画像データに基づき合成画像を印刷出力する（ステップＳ１０５）。
【００４６】
次ページが有れば(ステップＳ１０６；Ｙ)、次ページに対してステップＳ１０２〜Ｓ１０５を実行し、次ページがなければ(ステップＳ１０６；Ｎ)、スタンプ処理を終了する(エンド)。
【００４７】
図４（ａ）は、自動合成モードでスタンプを合成した際に記憶されたログ情報４０ａの一例を示している。ログ情報４０ａはスタンプＩＤとページ毎合成情報とで構成される。スタンプＩＤは合成に使用したベイツスタンプの内容を特定するために利用される。すなわち、スタンプＩＤ毎に、ベイツスタンプの内容が文字コードなどで予め登録されているので、ページ番号などページ毎に変化する部分を除いて、合成時のスタンプ内容がログ情報４０のスタンプＩＤにより特定される。
【００４８】
ページ毎合成情報はページ単位の情報であり、ページ番号と、合成位置と、スタンプの有無と、印字番号と、印字時刻とで構成される。合成位置は右上、右下、左上、左下、中央上、中央下などで示される。より詳細に合成位置を表わしてもよい。たとえば、ページの左上などを原点にした座標位置で表わしてもよい。
【００４９】
スタンプの有無は、そのページにスタンプを合成したか否かを示す情報である。印字番号は、ベイツスタンプにおいてページ番号として実際に印字された内容（ページ番号とその前に付した文字列）を示している。
【００５０】
印字時刻は、ベイツスタンプにおいて日付時刻として実際に印字された内容を表わしている。印字番号および印字時刻は、合成されたベイツスタンプのうちページ毎に変化し得る印字内容をページ毎に特定するためのログ情報である。なお、ページ毎にスタンプ画像の縮小率をさらに記憶してもよい。
【００５１】
図５は、位置指定合成モードにおけるスタンプ処理の流れを示している。まず、スタンプＩＤによりスタンプの種類を選択する（ステップＳ１２１）。次に、スタンプ合成エリアの指定を受ける（ステップＳ１２２）。合成エリアは右上、右下、左上、左下、中央上、中央下などで指定される。座標位置などでより詳細に合成位置の指定を受けてもよい。
【００５２】
次に、元画像の画像データに対して、選択されたスタンプＩＤに対応するベイツスタンプの画像データを指定された合成エリアに合成した合成画像データを作成する（ステップＳ１２３）。また、合成時の合成状態を示すログ情報を記憶する（ステップＳ１２４）。プリンタ部１８は、作成された合成画像データに基づき合成画像を印刷出力する（ステップＳ１２５）。
【００５３】
その後、次ページが有れば(ステップＳ１２６；Ｙ)、次ページに対してステップＳ１２３〜Ｓ１２５を実行し、次ページがなければ(ステップＳ１２６；Ｎ)、スタンプ処理を終了する(エンド)。
【００５４】
図４（ｂ）は、位置指定合成モードでスタンプを合成した際に記憶されたログ情報４０ｂの一例を示している。この例は、合成エリアが右下に指定された場合を示している。なお、印字番号、印字時刻などを登録しない場合は、図４（ｃ）に示すような形式でログ情報４０ｃを記憶してもよい。
【００５５】
図６は、合成位置によるスタンプ画像の違いの一例を示している。図６（ａ）は左上、中央左、左下に合成される場合のスタンプ画像であり、各行の文字列は左寄せで印字される。図６（ｂ）は中央上、中央、中央下に合成される場合のスタンプ画像であり、各行の文字列は中央寄せで印字される。図６（ｃ）は右上、中央右、右下に合成される場合のスタンプ画像であり、各行の文字列は右寄せで印字される。このように合成位置によって文字の寄せ方を自動変更することで、スタンプの見栄えがよくなる。さらに、合成した場合にスタンプ画像が元画像に重なる可能性が低減される。なお、合成位置にかかわらず文字列の寄せ方を固定にしてもかまわない。
【００５６】
図７は、画像形成装置１０が行なうベイツスタンプの付加動作全体の流れを示している。図８に示すようなスタンプオーバレイ選択画面５０で、ベイツスタンプ釦５１が選択された後、図示省略のスタート釦が操作されると、画像形成装置１０は元画像としての画像データの取り込み処理を行なう（ステップＳ２０１）。元画像の画像データの取り込みはスキャナ部１６で原稿を光学的に読み取るほか、通信Ｉ／Ｆ１４を通じて外部端末から受信してもよい。元画像が複数ページに及ぶ場合には、原稿の全ページについて画像データが取り込まれる。取り込んだ画像データは不揮発記憶装置１３に保存される。
【００５７】
元画像の画像データの取り込みが完了すると、図３に示す自動合成モードもしくは図５に示す位置指定合成モードでスタンプ処理が行なわれる(ステップＳ２０２)。ここで、ユーザは、１部目として印刷した合成画像の状態を確認してその後の動作を選択することができる。すなわち、スタンプ処理をやり直してもよいし（ステップＳ２０３；再）、処理を中止してもよい(ステップＳ２０３：中止)。また、１部目におけるベイツスタンプの付加状態の装置による確認処理を進めてもよい(ステップＳ２０３；継続)。
【００５８】
装置による確認処理が選択された場合(ステップＳ２０３；継続)、画像処理装置１０はベイツスタンプが付加された１部目の各ページをスキャナ部１６で読み取り(ステップＳ２０４)、該読み取りで取得した画像データを、ログ情報４０に基づいて判定領域を特定したうえで（ステップＳ２０５）画像解析し、１部目の各ページにおけるベイツスタンプの付加状態を判定する（ステップＳ２０６）。そして、設定された通知条件に従って判定結果を通知する（ステップＳ２０７）。
【００５９】
判定では、ログ情報４０が示す合成位置に基づいて判定対象の領域を限定し、該領域内においてベイツスタンプの状態を判断する。たとえば、当該ページのログ情報４０の示す合成位置が右上の場合は、ページ内の右上の所定領域を対象に画像解析を行なう。これにより、判定の処理量が低減して高速化される。
【００６０】
また、ログ情報４０が示すスタンプＩＤや印字番号、印字時刻などから、合成されたベイツスタンプの内容を特定し、ベイツスタンプと元画像との重なり状態（ベイツスタンプと元画像との位置関係）を判断する。これにより、重なりの有無や重なりの状態を精度よく判定することができる。
【００６１】
たとえば、ベイツスタンプと元画像とが重なっている場合に、ＯＣＲ処理で正常にその箇所で文字が認識（重なりにより異なる文字として認識）された場合でも、その文字がログ情報の示すベイツスタンプの内容に含まれない文字であったり、ログ情報が示すベイツスタンプ内の文字列と文字の並び順が異なったりする場合には、合成画像におけるベイツスタンプの状態に重なりなどの異常ありと判定することができる。さらに、ログ情報に含まれる文字サイズ、フォント、書式などを判定基準に加えれば、より高い精度で合成画像におけるベイツスタンプの状態を判定することができる。
【００６２】
判定は、「良好」、「不明」、「不良」の三段階で行なう。「良好」は重なりのないことが確実な場合、「不明」はスタンプが画像データに重なっている可能性（疑い）がある場合、例えば、スタンプが正しく押されていない可能性がある場合  １）画像印字領域外（端部消去領域）に近い、もしくは、端部消去に重なっている可能性がある場合がある。  さらに  ２）押印領域判別時に“ごみ取り処理”を施して領域を確保して印字した場合  ごみ取り処理が正しい処理をしていない場合なども考えられるため「不明」とする。「不良」は重なりのあることが確実な場合の判定結果である。また、ログ情報の示す合成位置にベイツスタンプが実際に存在するか否か（有無）も判定する。
【００６３】
図９は、判定結果の通知例を示している。ページ番号に対応付けて、スタンプの合成位置と、スタンプの有無と、合成の状態とを通知している。通知は、操作表示部１５に表示して行なうほか、プリンタ部１８で印刷してもよい。通知内容は、通知条件設定手段により設定変更することができる。同図（ａ）は、全ページについて判定結果を通知するように通知条件を設定した場合の通知例であり、同図（ｂ）は「不明」または「不良」のページについて判定結果を通知し「良好」のページについては判定結果を通知しないように通知条件を設定した場合の通知例である。
【００６４】
なお、「良好」は「○」、「不明」は「△」、「不良」は「×」で表わしてある。なお、ログ情報の示す合成位置にスタンプが存在しない場合や、ログ情報では合成していない位置にスタンプが存在するなど、検出されたスタンプの状態がログ情報と相違する場合には、「不良」と判定される。
【００６５】
通知形態は図８に示すものに限定されない。判定結果に応じて文字色、背景色、文字サイズなどを相違させてもよい。たとえば、文字色を「良好」は黒、「不明」は青、「不良」は赤としてもよい。
【００６６】
このようにスタンプの付加状態を自動判定し、その判定結果を通知するので、ユーザは判定結果が「不明」や「不良」のページについてのみ目視確認すれば済み、目視確認の作業負担が軽減される。さらに、「不明」や「不良」のページについてのみ判定結果を通知したり、判定結果に応じて通知態様を相違させたりすることで、どのページを目視確認すべきかを素早く認識でき、ユーザの作業負担がさらに軽減される。
【００６７】
図１０は、元画像６１と付加画像であるベイツスタンプ６２とが重なっている「不良」の一例を示している。
【００６８】
図７に戻って説明を続ける。ユーザは、通知された判定結果を確認し（ステップＳ２０８）、スタンプの付加状態に問題がなければ（ステップＳ２０８；Ｙ）、２部目、３部目のコピーを実行するか否かを選択する（ステップＳ２０９）。コピー実行が選択されると（ステップＳ２０９；Ｙ）、画像形成装置１０は、スキャナ部１６で読み取って不揮発記憶装置１３に記憶してある１部目の画像データに基づいて、２部目、３部目を印刷出力し(ステップＳ２１０)処理を終了する（エンド）。
【００６９】
コピー実行が選択されない場合は(ステップＳ２０９；Ｎ)、２部目、３部目を印刷することなく処理を終了する(エンド)。たとえば、目視確認の結果、スタンプの内容や合成位置を修正したい場合は、２部目、３部目のコピー実行を選択せずに、ベイツスタンプの付加をやり直すように作業が進められる。
【００７０】
通知された判定結果を確認した結果、スタンプの付加状態に問題がある場合は（ステップＳ２０８；Ｎ）、その問題がスタンプの有無や合成位置がログ情報と食い違うことに関するものか否かを調べ（ステップＳ２１１）、食い違いである場合は（ステップＳ２１１；Ｎ）、ページの抜けや差し替えなどがあったと判断して、改ざんの警告を行ない(ステップＳ２１２)、処理を終了する（エンド）。
【００７１】
スタンプの有無がログ情報と一致している場合は(ステップＳ２１１；Ｙ)、スタンプの付加状態に関する問題が解決されるように合成位置などを修正したスタンプ処理を再実行し（ステップＳ２１３）、処理を終了する（エンド）。
【００７２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７３】
たとえば、付加画像はベイツスタンプに限られない。また、元画像と付加画像との重なり状況を判定したが、付加画像の擦れなどをさらに判定してもよい。
【００７４】
また、通知条件は実施の形態に例示したように、通知対象のページを絞り込むための条件に限定されず、たとえば、印字時刻を通知項目に加えるか否かなど、通知項目に関する条件を選択可能にしてもよい。
【００７５】
また、合成時の合成状態を記憶するログ情報は、実施の形態で例示したものに限定されず、合成位置のみでも、合成内容のみでもかまわない。さらに、合成位置や合成内容を示す情報の記憶形式も実施の形態で例示したものに限定されない。さらに、ページ毎の判定結果をログ情報として残してもよい。
【００７６】
たとえば、実施の形態ではスタンプの内容を、スタンプＩＤに対応付けられたスタンプの登録内容（文字コードなど）で認識したが、実際に合成されたスタンプの内容をビットマップデータで記憶してもよい。この場合、ログ情報として記憶されているビットマップデータと１部目の合成画像を読み込んで得た画像データとを対比して、スタンプの付加状態を判定することができる。具体的には、ログ情報のビットマップデータ上と読み込んで得た画像データ上とでそれぞれ黒画素の連続領域を抽出し、黒の連続領域の形状を比較して、重なりを判別する方法などがある。
【００７７】
このほか実施の形態では、複合機を例に説明したが、スキャナ部とプリント部を備えた装置であればよく、単なる複写機でもかまわない。
【００７８】
また、上述の実施の形態においては、画像データに付加画像データを合成して合成画像データを作成し、この合成画像データに基づく合成画像を画像形成装置１０にて印刷出力した後に、この画像形成装置１０にて係る合成画像を読み取り、合成画像データを得る例を述べた。そして、合成画像データを作成したときの合成条件を示すログ情報とこの合成画像データに基づいて、合成画像における付加画像データが示す付加画像の状態を判定する態様を説明した。
【００７９】
しかしながら、本発明は他の態様にも適用可能である。例えば、別の画像形成装置にて印刷出力された合成画像を画像形成装置１０にて読み取って合成画像データを得て、係る合成画像データを作成したときの合成条件を示すログ情報とこの合成画像データに基づいて、合成画像における付加画像データが示す付加画像の状態を判定するようにしても良いし、元画像とこの元画像に対して手作業にて付加された付加画像とを有する合成画像を画像形成装置１０にて読み取って合成画像データを得て、係る合成画像データを作成したときの合成条件を示すログ情報とこの合成画像データに基づいて、合成画像における付加画像データが示す付加画像の状態を判定するようにしても良い。
【００８０】
さらに、画像形成装置１０が保存する画像データに対して、この画像形成装置１０と接続されるパーソナルコンピュータ等から付加画像データを付加して合成画像データを作成するような態様にも適用可能である。この場合、画像形成装置１０に設けられた情報入手手段にて、画像データ、画像データに対して付加される付加画像データ、および合成画像データを作成した際の合成条件を示すログ情報を入手するようにし、情報入手手段で入手した画像データ、付加画像データ、およびログ情報に基づいて、合成画像データが示す合成画像における付加画像データが示す付加画像の状態を判定するようにすると良い。
【図面の簡単な説明】
【００８１】
【図１】本発明の実施の形態に係わる画像形成装置の構成を示す説明図である。
【図２】ベイツスタンプを付した法的資料の一例を示す説明図である。
【図３】自動合成モードにおけるスタンプ処理を示す流れ図である。
【図４】合成時に作成され記憶されるログ情報を例示した説明図である。
【図５】位置指定合成モードにおけるスタンプ処理を示す流れ図である。
【図６】合成位置によるスタンプ画像の違いを示す説明図である。
【図７】画像形成装置が行なうベイツスタンプの付加動作を示す流れ図である。
【図８】画像形成装置の操作表示部に表示されるスタンプオーバレイ選択画面の一例を示す正面図である。
【図９】判定結果の通知例を示す説明図である。
【図１０】元画像とベイツスタンプとが重なっている「不良」の一例を示す説明図である。
【符号の説明】
【００８２】
１０…画像形成装置
１１…ＲＯＭ
１２…ＲＡＭ
１３…不揮発記憶装置
１４…通信Ｉ／Ｆ
１５…操作表示部
１６…スキャナ部
１７…画像処理部
１８…プリンタ部
２０…システム制御部
２１…合成手段
２２…ログ管理手段
２３…判定手段
２４…通知制御手段
３０…元画像
３１…ベイツスタンプ
３２…合成画像
４０、４０ａ、４０ｂ、４０ｃ…ログ情報
５０…スタンプオーバレイ選択画面
５１…ベイツスタンプ釦
６１…元画像
６２…ベイツスタンプ
【図１】
2007215117.tif 000003
【図２】
2007215117.tif 000004
【図３】
2007215117.tif 000005
【図４】
2007215117.tif 000006
【図５】
2007215117.tif 000007
【図６】
2007215117.tif 000008
【図７】
2007215117.tif 000009
【図８】
2007215117.tif 000010
【図９】
2007215117.tif 000011
【図１０】
2007215117.tif 000012